(57)【要約】【課題】消臭機能または殺菌機能を有し、別に剣山や、茎を固定するものを用意することなく、造花を装飾のバランスを整えながら生けることができる花器を提供する。【解決手段】造花を生ける花器１において、側面に貫通孔３が形成され、内部に寄せ集めたべチバーの根が備えられ、貫通孔を塞ぐ不織布４を備えたことを特徴とする。ベチバーの根は、消臭機能および殺菌機能を有している。そして寄せ集めたベチバーの根は、容易に造花の茎を突き刺すことができる。突き刺した茎は、それぞれのベチバーの根に狭持されるので、造花を装飾のバランスを整えながら生けることができる。従って、消臭機能および殺菌機能を有し、造花を装飾のバランスを整えながら生けることができる花器とすることができる。【選択図】  図１
2005152429.tif 000002
【特許請求の範囲】
【請求項１】
造花を生ける花器において、
側面に貫通孔が形成され、内部に寄せ集めたべチバーの根を備えたことを特徴とする花器。
【請求項２】
前記貫通孔を塞ぐ不織布を備えたことを特徴とする請求項１記載の花器。
【請求項３】
前記ベチバーの根は、袋状に形成された不織布に収納されていることを特徴とする請求項１記載の花器。
【発明の詳細な説明】
【技術分野】
【０００１】
本発明は、消臭機能や、殺菌機能またはアロマテラピー効果を有する花器に関する。
【背景技術】
【０００２】
最近、消臭または殺菌機能を持つ製品が数多く市場に出回っている。
【０００３】
これらの製品は、熊や猫などの動物を象ったものや、美観の良い素焼きの陶器に、消臭剤を入れ、表面から滲み出てくる消臭剤により、部屋の空気を消臭するものである。
【０００４】
このような製品で、芳香を目的とするものであるが、花器を用いたものが特許文献１にある。この花器は、孔を複数側面に形成し、芳香剤の入った容器を組み込むことにより、上部の開口から、または貫通孔から香が放散するものである。
【０００５】
【特許文献１】実開昭６３−１６１５６７号公報（図１，図２，図５）
【発明の開示】
【発明が解決しようとする課題】
【０００６】
特許文献１に記載の花器においては、装飾品として造花を生け、香を放散させることはできる。しかし、花器に芳香剤の入った容器を組み込んだだけなので、造花を装飾のバランスを整えながら生けるためには、別に剣山や、茎を固定するものが必要となる。
【０００７】
そこで、本発明が解決しようとする課題は、消臭機能または殺菌機能を有し、別に剣山や、茎を固定するものを用意することなく、造花を装飾のバランスを整えながら生けることができる花器を提供することにある。
【課題を解決するための手段】
【０００８】
前記課題を解決するために、本発明の花器は、造花を生ける花器において、側面に貫通孔が形成され、内部に寄せ集めたべチバーの根を備えたことを特徴とする。
【０００９】
ベチバーは、学名がVetiveria zizanoidesと呼ばれるイネ化の植物で、その根は、消臭機能や、殺菌機能を有している。側面に貫通孔が形成された花器にこのベチバーの根を収納して、造花を生け、あらゆる部屋の場所（玄関・居間・寝室・トイレ等・納骨堂等）に飾ると、美観に優れ消臭・殺菌効果・アロマテラピー効果が得られる装飾品として使用することができる。
【００１０】
ここで、造花とは、つぼみや花びらを有する植物を模したものや、観葉植物を模したものをいう。
【００１１】
ベチバーの根は、寄せ集めることで、容易に造花の茎を突き刺すことができる。突き刺した茎は、それぞれのベチバーの根に狭持されるので、造花を装飾のバランスを整えながら生けることができる。
【００１２】
前記貫通孔を塞ぐ不織布を備えるのが望ましい。貫通孔を不織布で塞ぐことにより、ベチバーの根が貫通孔から突出することが防止できるとともに、細切れとなったベチバーの根が花器の外側に出て、花器の周辺を汚すことを防止できる。
【００１３】
また、不織布は、通気性を有しているため、ベチバーの根の消臭効果および殺菌効果を発揮させることができる。
【００１４】
また、前記ベチバーの根は、袋状に形成された不織布に収納するのが望ましい。このように、不織布を袋状とし、その中にベチバーの根を収納することで、ベチバーの根が貫通孔から突出することが防止できるとともに、細切れとなったベチバーの根が花器の外側に出て、花器の周辺を汚すことが防止できる。
【発明の効果】
【００１５】
本発明によれば次の効果を奏する。
（１）側面に貫通孔が形成され、内部にべチバーの根を備えることにより、消臭機能を有し、別に剣山や、茎を固定するものを用意することなく、造花を装飾のバランスを整えながら生けることができる花器とすることができる。
【００１６】
（２）貫通孔を塞ぐ不織布を備えたことにより、ベチバーの根が貫通孔から突出することが防止できるとともに、細切れとなったベチバーの根が花器の外側に出て、花器の周辺を汚すことが防止できる。
【００１７】
（３）不織布を袋状とし、その中にベチバーの根を収納することで、ベチバーの根が貫通孔から突出することが防止できるとともに、細切れとなったベチバーの根が花器の外側に出て、花器の周辺を汚すことが防止できる。
【発明を実施するための最良の形態】
【００１８】
本発明の実施の形態に係る花器を図に基づいて説明する。図１は、本発明の実施の形態に係る花器の斜視図である。図２は、本発明の実施の形態に係る花器の断面図である。
【００１９】
図１および図２に示すように、花器１は、陶器で形成され、側面に貫通孔２を有している。花器１の大きさおよび形状は、高さ１８０ｍｍ、一辺が４０ｍｍの六角柱をしている。花器１の形状は、側面に貫通孔が形成された有底の容器であれば、四角柱や、八角柱などの多角柱や円柱でも使用できる。また大きさも設置される部屋や用途に応じて適宜変えてもよい。また、花器１は、本実施形態では、図示していない一側面に、貫通孔２が形成されていないため、用途に合わせて柄や文字などを入れるなどして、花器１の美観をより向上させることもできる。
【００２０】
貫通孔２は、直径２０ｍｍの円形をしており、縦に５つ、貫通孔２が形成されていない一側面を除いて合計２５ほど形成されている。貫通孔２は、円形の他、四角形や五角形などの多角形、異形としてもよく、通気可能であればよい。
【００２１】
図２に示すように、花器１の内部にベチバーの根３が寄せ集めて収納されている。ベチバーの根３は、直径が１ｍｍ程度であり、２００ｍｍ程度の長さを有しており、容易に屈曲可能であるため、寄せ集めることで花器１の内部に収納することが可能である。
【００２２】
また、寄せ集めたベチバーの根３は、それぞれの根の間に隙間ができるため、造花の茎５をその隙間に容易に突き刺すことができる。このベチバーの根３の隙間に突き刺すことによりベチバーの根３に、造花の茎５が狭持されるので、装飾のバランスを整えながら造花を生けることができる。
【００２３】
貫通孔２は、不織布４で塞がれている。貫通孔２を不織布４で塞ぐことにより、ベチバーの根３が貫通孔２から突出することが防止できるとともに、細切れとなったベチバーの根３が花器１の外側に出て、花器１の周辺を汚すことが防止できる。また、不織布４は、通気性を有しているため、花器１の外側と内側で空気の出入りが妨げられることはないので、ベチバーの根３の消臭効果および殺菌効果を発揮させることができる。また、不織布４に柄などを付けることにより、より美観の優れた花器とすることもできる。
【００２４】
不織布４は、花器１の内面側を全て接着剤などで貼着させてもよいし、貫通孔２から細切れになったベチバーの根３が花器１の外側へ出ないように貫通孔２を塞ぐ程度の大きさにして貼着させてもよい。この不織布４は、花器１の内側に貼るのが美観の向上を図る上で望ましい。
【００２５】
以上のように構成された本発明の実施の形態に係る花器の使用状態を図１および図２に基づいて説明する。
【００２６】
まず、寄せ集めたベチバーの根３を、側面に貫通孔２が形成された花器１の内部に収納する。
【００２７】
次に、造花の茎５を花器１のベチバーの根３に、全体のバランスを整えながら突き刺す。茎５を寄せ集めたベチバーの根３に突き刺しても、ベチバーの根３の殺菌効果や消臭効果が減退することはないため、装飾のバランスが所望とする状態にならない場合には、何度でも茎５を寄せ集めたベチバーの根３に突き刺すことができる。
【００２８】
このように、側面に貫通孔２が形成され、べチバーの根３を内部に収納した花器に、造花を生けることで、消臭機能を有し、別に剣山や、茎を固定するものを用意することなく、造花を装飾のバランスを整えながら生けることができる花器とすることができる。
【００２９】
次に、本発明の他の実施の形態に係る花器を説明する。図３は、ベチバーの根を袋状の不織布に収納した状態で、（ａ）は斜視図、（ｂ）は断面図である。図４は、他の本発明の実施の形態に係る花器の断面図である。
【００３０】
図３（ａ）および図３（ｂ）に示すように、袋状の不織布６は、矩形状に形成された袋状をしており、ペチバーの根３が収納されている。袋状の不織布は、多角形状、円形状、球形状、または異形状など、どのような形状であっても、素材を不織布とすれば通気性を有しているので、ベチバーの根３の消臭効果および殺菌効果が得られるので、使用することができる。
【００３１】
図４に示すように、この袋状の不織布６にベチバーの根３を収納して使用する場合には、花器７の貫通孔２を塞ぐ不織布は省略することができる。また、袋状の不織布６は、ベチバーの根３が細切れになって外にでないように、全てを縫い合わせるなどして接合してもよい。また、袋状の不織布６の一部にファスナーのような開閉手段を備えることで、収納したベチバーの根３を容易に取り出すことが可能となる。
【００３２】
このベチバーの根３を入れた袋状の不織布６は、容易に変形可能なので、花器７が、円筒形状、多角形状、異形状としても、ベチバーの根３を入れた袋を折り曲げたりして収納することができる。また、ベチバーの根３を入れた袋を、花器７に固定する必要がないので、ベチバーの根３の消臭効果が薄れた場合など、交換も容易である。また、この袋状の不織布６に収納したベチバーの根３を花器７に、造花の茎５を保持可能な程度に１つ以上収納させることで、ベチバーの根３を入れた袋状の不織布６の間、またはこの袋状の不織布６と花器７の側面内側との間に、造花の茎５を保持することができる。従って、生けた造花を容易に所望とする装飾のバランスを図ることができる。
【産業上の利用可能性】
【００３３】
本発明の花器は、消臭機能または殺菌機能を有し、別に剣山や、茎を固定するものを用意することなく、造花を装飾のバランスを整えながら生けることができる花器として利用することができる。
【図面の簡単な説明】
【００３４】
【図１】本発明の実施の形態に係る花器の斜視図である。
【図２】本発明の実施の形態に係る花器の断面図である。
【図３】ベチバーの根を袋状の不織布に収納した状態で、（ａ）は斜視図、（ｂ）は断面図である。
【図４】本発明の他の実施の形態に係る花器の断面図である。
【符号の説明】
【００３５】
１  花器
２  貫通孔
３  ベチバーの根
４  不織布
５  茎
６  袋状の不織布
７  花器
【図１】
2005152429.tif 000003
【図２】
2005152429.tif 000004
【図３】
2005152429.tif 000005
【図４】
2005152429.tif 000006